(57)【特許請求の範囲】
【請求項１】
商用電源に接続される電源トランスと、この電源トランスの２次側回路に接続され、大地アースから絶縁された接地電流検知回路部と、この接地電流検知回路部および前記電源トランスの１次側回路との間に接続されたインピーダンス素子と、前記接地電流検知回路部に電気的に接続された少なくとも絶縁材料製のベース部材の上面に設けられた単数または複数の面状電極部を備えた操作部と、前記接地電流検知回路部に接続された制御回路部と、前記操作部の面状電極部に対応した表示を示す表示部とからなる入力装置。
【請求項２】
制御回路部は、一端が接地電流検知回路部に接続され、他端が表示部に接続された請求項１記載の入力装置。
【請求項３】
操作部は、ベース部材の上面に面状電極部と接地電流検知回路部とを接続する細線状の引回し配線部を有し、この引回し配線部と微小な絶縁間隙を設けて両側に前記接地電流検知回路部に接続された誤動作防止用配線部を備えた請求項１または２記載の入力装置。
【請求項４】
操作部は、ベース部材の上面に面状電極部と接地電流検知回路部とを接続する細線状の引回し配線部を有し、前記面状電極部および引回し配線部の外周に微小な絶縁間隙を設けて、この絶縁間隙の周囲に前記接地電流検知回路部に接続された誤動作防止用電極部を備えた請求項１または２記載の入力装置。
【請求項５】
操作部は、ベース部材の上面の少なくとも面状電極部を覆うように配設された薄膜状の第一絶縁層を備えた請求項１〜４のいずれか一つに記載の入力装置。
【請求項６】
操作部は、少なくとも面状電極部とベース部材との間に第二絶縁層を備えた請求項１〜５のいずれか一つに記載の入力装置。
【請求項７】
操作部は、少なくともベース部材の上面の面状電極部と対向する位置に第三絶縁層を備えた請求項１〜６のいずれか一つに記載の入力装置。
【請求項８】
操作部は、ベース部材の上面に面状電極部と接地電流検知回路を電気的に接続するように設けられた引回し配線部と、少なくともこの引回し配線部を覆うように設けられた第四絶縁層と、この第四絶縁層の上面に前記接地電流検知回路部に電気的に接続された誤動作防止用電極部を備えた請求項１，２または請求項５〜７のいずれか一つに記載の入力装置。
【請求項９】
操作部は、光透過性材料で形成されると共に、この操作部の面状電極部と対向する位置に表示部を備えた請求項１〜８のいずれか一つに記載の入力装置。
【請求項１０】
面状電極部、引回し配線部、誤動作防止用電極部および誤動作防止用配線部は、１５０Å以下の厚みの透明導電膜で形成された請求項９記載の入力装置。
【請求項１１】
第一および第三絶縁層のうちの少なくとも一つは、０．０５〜１０００μｍの厚みの透明絶縁膜で形成された請求項５または７記載の入力装置。
【請求項１２】
第一〜第三絶縁層のうちの少なくとも一つの厚みは、０．１±０．０５μｍ、屈折率が１．５未満、ベース部材の屈折率が１．５以上である請求項９〜１１のいずれか一つに記載の入力装置。
【請求項１３】
操作部は、面状電極部を有するベース部材の表面が凹凸を有する立体形状である請求項１〜１２のいずれか一つに記載の入力装置。
【請求項１４】
インピーダンス素子は、少なくとも一つの抵抗素子、コンデンサー、あるいはリアクタンス素子である請求項１記載の入力装置。
【請求項１５】
面状電極部と接地電流検知回路部との間に、高抵抗を直列に接続してなる請求項１記載の入力装置。
【請求項１６】
高抵抗と接地電流検知回路部の接続点と電源トランスの二次側回路のグランドとの間に、定電圧性素子を接続してなる請求項１５記載の入力装置。
【請求項１７】
面状電極部と接地電流検知回路部との間に、ローパスフィルターを直列に接続してなる請求項１記載の入力装置。
【請求項１８】
接地電流検知回路部は、少なくとも積分回路を備えてなる請求項１記載の入力装置。
【請求項１９】
接地電流検知回路部は、少なくとも積分回路と弁別回路を備え、この弁別回路と制御回路部とを接続してなる請求項１記載の入力装置。
【請求項２０】
接地電流検知回路部は、少なくともリトリガブルマルチバイブレーターを備えてなる請求項１記載の入力装置。
【請求項２１】
機器本体部と、この機器本体部の少なくとも一面に設けられた請求項１〜２０のいずれか一つに記載の入力装置とからなり、この入力装置を操作することにより前記機器本体部を動作させてなる電子機器。
【発明の詳細な説明】
【０００１】
【発明の属する技術分野】
本発明は、電子機器の制御などに用いられるタッチ式の入力装置およびこれを用いた電子機器に関するものである。
【０００２】
【従来の技術】
従来の入力装置を静電容量式タッチスイッチを例として、図１６の構成図を用いて説明する。
【０００３】
同図において１はベース部材としてのガラスなどの板状の誘電体、２は誘電体１の片面に設けられ、手指でタッチできるような比較的面積の大きい面状電極部としての第一導電性被膜、３，４は誘電体１上の第一導電性被膜２と対向するように誘電体１を挟んで並列して設けられた二つの面積の小さい面状電極部としての第二および第三導電性被膜であり、誘電体１を挟んだ第一および第二導電性被膜２，３が静電容量５を構成し、第一および第三導電性被膜２，４が静電容量６を構成している。
【０００４】
そして、７は大地アース、８は第二導電性被膜３と大地アース７の間に接続されたパルス信号、交流信号などの信号源、９は第三導電性被膜４に接続され、第三導電性被膜４の電位変動を検出して増幅する増幅部、１０は増幅部９の出力を電子機器（図示せず）を制御する制御信号に変換する制御部であり、一つの静電容量式タッチスイッチ１１がこのような部分により構成されている。
【０００５】
また、１２は上記静電容量式タッチスイッチ１１と同様に構成されたもう一つの静電容量式タッチスイッチであり、第一導電性被膜１３、第二導電性被膜１４、第三導電性被膜１５が上記静電容量式タッチスイッチ１１に用いられたものと同じ誘電体１に設けられて、二つの静電容量式タッチスイッチ１１，１２のそれぞれの導電性被膜が所定の距離をおいて形成されたものとなっている。
【０００６】
次に、このように構成された静電容量式タッチスイッチ１１の動作について説明すると、人が手指で第一導電性被膜２に接触していない時には、信号源８からの信号が二つの静電容量５，６の直列回路を介して所定の信号レベルで増幅部９に入力されているが、手指で第一導電性被膜２に接触した時には、図１７の回路概念図に示すように、人体を介して大地アース７との間で発生する静電容量１６が上記二つの静電容量５，６の接続点と大地アース７間に接続された状態となって増幅部９側から見た信号源８側の出力インピーダンスが低下し、増幅部９に入力される信号レベルが低下する。
【０００７】
そして、このような信号レベルの変化を増幅部９が増幅して出力し、制御部１０が増幅部９の出力を電子機器を制御する制御信号に変換するものであり、人が手指でもう一方の静電容量式タッチスイッチ１２の第一導電性被膜１３に接触した時にも上記と同様に動作するものであった。
【０００８】
【発明が解決しようとする課題】
しかしながら上記従来の入力装置としての静電容量式タッチスイッチにおいては、上記で説明したような同じ誘電体１に二つの静電容量式タッチスイッチ１１，１２を設けた場合に、それぞれの静電容量式タッチスイッチ１１，１２を構成する、たとえば片方の静電容量式タッチスイッチ１１の第一導電性被膜２および他方の静電容量式タッチスイッチ１２の第二導電性被膜１４の間に生ずる静電容量１７が二つの静電容量式タッチスイッチ１１と１２に影響することによる誤動作を防ぐために、それぞれの静電容量式タッチスイッチ１１，１２を近接して配置することが困難であるという課題があった。
【０００９】
本発明は、このような従来の課題を解決するものであり、ベース部材上に複数のタッチスイッチの電極を自由な形状および配置で設けることができる入力装置を提供することを目的とするものである。
【００１０】
【課題を解決するための手段】
上記目的を達成するために本発明は、商用電源に接続される１次側ラインと電源トランスを介した２次側回路をインピーダンス素子で接続し、手指でタッチできる面状電極部を絶縁性のベース部材の片面のみに形成して、２次側回路の一部である接地電流検知回路に接続し、接地電流検知回路の出力を電子機器の制御信号に変換する制御回路を設けたもので、これによりベース部材上に複数のタッチスイッチの電極を自由な形状および配置で設けることができるものである。
【００１１】
【発明の実施の形態】
本発明の請求項１に記載の発明は、商用電源に接続される電源トランスと、この電源トランスの２次側回路に接続され、大地アースから絶縁された接地電流検知回路部と、この接地電流検知回路部および前記電源トランスの１次側回路との間に接続されたインピーダンス素子と、前記接地電流検知回路部に接続された少なくとも絶縁材料製のベース部材の上面に設けられた単数または複数の面状電極部を備えた操作部と、前記接地電流検知回路部に接続された制御回路部と、前記操作部の面状電極部に対応した表示を示す表示部とからなるもので、ベース部材の片面のみに設けた面状電極部で手指の接触を検知することができると共に、ベース部材上に複数の面状電極部を自由な形状および配置で設けられ、複数の面状電極部を近接して設けても相互間の影響がなく、しかも安価な入力装置を得ることができるという作用を有するものである。
【００１２】
請求項２に記載の発明は、請求項１記載の制御回路部は、一端が接地電流検知回路部に接続され、他端が表示部に接続されたもので、手指の接触の検知による制御回路部の出力に応じて表示内容を制御できるという作用を有するものである。
【００１３】
請求項３に記載の発明は、請求項１または２記載の操作部は、ベース部材の上面に面状電極部と接地電流検知回路部とを接続する細線状の引回し配線部を有し、この引回し配線部と微小な絶縁間隙を設けて両側に前記接地電流検知回路部に接続された誤動作防止用配線部を備えたもので、引回し配線部への不本意な接触時に誤動作防止用配線部へも同時に接触し、これを検知することにより面状電極部への接触と区別することができるため、引回し配線部への不本意な接触による誤入力を防止することができるという作用を有するものである。
【００１４】
請求項４に記載の発明は、請求項１または２記載の操作部は、ベース部材の上面に面状電極部と接地電流検知回路部とを接続する細線状の引回し配線部を有し、前記面状電極部および引回し配線部の外周に微小な絶縁間隙を設けて、この絶縁間隙の周囲に前記接地電流検知回路部に接続された誤動作防止用配線部を備えたもので、引回し配線部への不本意な接触時に誤動作防止用配線部へも同時に接触し、これを検知することにより面状電極部への接触と区別することができるため、引回し配線部への不本意な接触による誤入力を防止することができると共に、面状電極部周囲の誤動作防止用電極部が外部からの電気ノイズを吸収して電気ノイズによる誤入力を防止することができるという作用を有するものである。
【００１５】
請求項５に記載の発明は、請求項１〜４のいずれか一つに記載の操作部は、ベース部材の上面の少なくとも面状電極部を覆うように配設された薄膜状の第一絶縁層を備えたもので、ベース部材上の面状電極部および引回し配線部等を外部圧力から保護できて、耐久性に優れた操作部を備えた入力装置を提供できるという作用を有するものである。
【００１６】
請求項６に記載の発明は、請求項１〜５のいずれか一つに記載の操作部は、少なくとも面状電極部とベース部材との間に第二絶縁層を備えたもので、ベース部材と第二絶縁層および第二絶縁層と面状電極部、引回し配線部等それぞれとの密着性を高めることができ、耐久性に優れた操作部を備えた入力装置を提供できるという作用を有するものである。
【００１７】
請求項７に記載の発明は、請求項１〜６のいずれか一つに記載の操作部は、少なくともベース部材の上面の面状電極部と対向する位置に第三絶縁層を備えたもので、組立て作業などの操作部の取り扱い時におけるベース部材裏面の耐擦傷性を向上させるという作用を有するものである。
【００１８】
請求項８に記載の発明は、請求項１，２または５〜７のいずれか一つに記載の操作部は、ベース部材の上面に面状電極部と接地電流検知回路を接続するように設けられた引回し配線部と、少なくともこの引回し配線部を覆うように設けられた第四絶縁層と、この第四絶縁層の上面に前記接地電流検知回路部に電気的に接続された誤動作防止用電極部を備えたもので、請求項３に記載の発明によるものと同様の作用を限られたスペース内で実現することができるという作用を有するものである。
【００１９】
請求項９に記載の発明は、請求項１〜８のいずれか一つに記載の操作部は、光透過性材料で形成されると共に、この操作部の面状電極部と対向する位置に表示部を備えたもので、操作部の背面に表示部を設置することができるので操作と表示の対応を理解し易いものにすることができ、容易に入力操作ができる入力装置を提供できるという作用を有するものである。
【００２０】
請求項１０に記載の発明は、請求項９に記載の面状電極部、引回し配線部、誤動作防止用電極部および誤動作防止用配線部は、１５０Å以下の厚みの透明導電膜で形成されたもので、ベース部材上に設けられた面状電極部、引回し配線部、誤動作防止用電極部、誤動作防止用配線部それぞの透明性が高く、全体としても透明度に優れ、背面の表示を明瞭に視認できる、品格の高い操作部を備えた入力装置を提供できるという作用を有するものである。
【００２１】
請求項１１に記載の発明は、請求項５または７記載の第一および第三絶縁層のうちの少なくとも一つは、０．０５〜１０００μｍの厚みの透明絶縁膜で形成されたもので、入力感度を減ずることなく、ベース部材上の面状電極部、引回し配線部、誤動作防止用電極部、誤動作防止用配線部とベース部材裏面を外部圧力から保護できて、耐擦傷性の向上が可能で有り、耐久性および視認性に優れた入力装置が提供できるという作用を有するものである。
【００２２】
請求項１２に記載の発明は、請求項９〜１１のいずれか一つに記載の第一〜第三絶縁層のうちの少なくとも一つの厚みは０．１±０．０５μｍ、屈折率が１．５未満、ベース部材の屈折率が１．５以上であるものであり、光干渉効果により第一、第二、あるいは第三絶縁層に反射防止の役割を持たせることにより、視認性の優れた操作部を備えた入力装置を提供できるという作用を有するものである。
【００２３】
請求項１３に記載の発明は、請求項１〜１２のいずれか一つに記載の操作部は、面状電極部を有するベース部材の表面が凹凸を有する立体形状であるものであり、ベース部材上の面状電極部、引回し配線部、誤動作防止用電極部、誤動作防止用配線部を自由な形状および配置で設けて、使い勝手や見栄えのよい操作部を備えた入力装置を提供できるという作用を有するものである。
【００２４】
請求項１４に記載の発明は、請求項１記載のインピーダンス素子は、少なくとも一つの抵抗素子、コンデンサー、あるいはリアクタンス素子であるものであり、商用電源に対して所定のインピーダンスを有する値を選定することにより、手指による面状電極部への接触で適切な接地電流を流す回路を構成することができ、インピーダンス素子として抵抗素子を用いることにより、抵抗素子のフラットな周波数特性から、商用電源の周波数に依存せずに接地電流を設定でき、また、インピーダンス素子としてコンデンサーを用いることにより、接地電流は皮相電流となって電力を消費せず、さらに、インピーダンス素子としてリアクタンス素子を用いることにより、リアクタンス素子の周波数特性から商用電源に含まれる他の機器等からの周波数の高いノイズ成分に対して、インピーダンスが高くなりノイズ成分による接地電流を抑え、接地電流検知回路部及び制御回路のノイズ耐量を向上することができるという作用を有するものである。
【００２５】
請求項１５に記載の発明は、請求項１記載の面状電極部と接地電流検知回路部との間に、高抵抗を直列に接続してなるもので、人体が極端に良好に接地された場合にも、高抵抗を介して流れる接地電流を適切に制限して、面状電極への接触による感電を感じ難くするという作用を有するものである。
【００２６】
請求項１６に記載の発明は、請求項１５記載の高抵抗と接地電流検知回路部の接続点と電源トランスの二次側回路のグランドとの間に定電圧性素子を接続してなるものであり、手指の面状電極部への接触時に、接地電流検知回路部への印加電圧を定電圧性素子によって所定の電圧にクランプすることができ、接地電流検知回路の電流検知素子を過電圧による破壊等の劣化から保護することができるという作用を有するものである。
【００２７】
請求項１７に記載の発明は、請求項１記載の面状電極部と接地電流検知回路部との間に、ローパスフィルターを直列に接続してなるもので、ローパスフィルターの周波数特性を所定のものに設定することにより、引回し配線等に誘起したラジオ放送等の高周波成分を減衰して、接地電流検知回路部の誤動作を抑えることができるという作用を有するものである。
【００２８】
請求項１８に記載の発明は、請求項１記載の接地電流検知回路部は、少なくとも積分回路を備えてなるもので、電流検知素子の後段に積分回路を配置して接地電流検知回路部を構成することにより、手指で面状電極部に触れた場合に流れる接地電流が交流であることから生じる間欠性を、積分回路の積分作用により補完して、面状電極部の接地度合いに応じたレベルの接地電流検知回路部の出力とし、制御回路部における人体が面状電極部に触れたか否かの判断を簡便なものとすることができるという作用を有するものである。
【００２９】
請求項１９に記載の発明は、請求項１記載の接地電流検知回路部は、少なくとも積分回路と弁別回路を備え、この弁別回路と制御回路部とを接続してなるもので、電流検知素子の後段に積分回路を配置し、さらに積分回路の後段に弁別回路を配置して接地電流検知回路部を構成することにより、積分回路の積分作用により間欠性を補完できて面状電極部の接地度合いに応じたレベルの出力を、さらに弁別回路により面状電極部に触れたか否かの二値信号として、制御回路部のマイクロコンピューター等のディジタル回路の入力に直接接続できるという作用と共に、二値信号の特質として接地電流検知回路部と制御回路部との間を結ぶ配線上で誘起するノイズに対してもノイズマージンを設けることができるという作用を有するものである。
【００３０】
請求項２０に記載の発明は、請求項１記載の接地電流検知回路部は、少なくともリトリガブルマルチバイブレーターを備えてなるもので、電流検知素子の後段にリトリガブルマルチバイブレーターを配置して接地電流検知回路部を構成することにより、リトリガブルマルチバイブレーターの特性によって、手指で面状電極部に触れた場合に流れる接地電流が交流であることから生じる間欠性を補完すると共に、面状電極部に触れたか否かの二値信号として、制御回路部のマイクロコンピューター等のディジタル回路の入力に直接接続できるという作用、および二値信号の特質として接地電流検知回路部と制御回路部との間を結ぶ配線上で誘起するノイズに対してもノイズマージンを設けることができるという作用を有するものである。
【００３１】
請求項２１に記載の発明は、機器本体部と、この機器本体部の少なくとも一面に設けられた請求項１〜２０のいずれか一つに記載の入力装置とからなり、この入力装置を操作することにより前記機器本体部を動作させてなるもので、入力装置に軽く触れるだけで動作させることができる安価な電子機器を提供できると共に、複数の面状電極部を自由な形状および配置で設けて、使い勝手および見栄えの良い入力装置を備えた電子機器を提供できるという作用を有するものである。
【００３２】
以下、本発明の実施の形態について、図面を用いて説明する。
（実施の形態１）
図１は本発明の実施の形態１による入力装置の構成図、図２は同要部である操作部２８の斜視図、図３は図２のＶ−Ｖ線における断面図であり、同図において、２１は商用電源ライン、２２は商用電源ライン２１の片側が接続された大地アース、２３は電源トランスで、この電源トランス２３の１次側ライン２４を介して商用電源ライン２１に接続されて所望の２次側交流電力を供給し、２５は電源トランス２３の２次側交流電力を直流に変換する２次側電源回路、２６は２次側電源回路２５に接続された２次側回路全体の２次側回路グランド、２７は１次側ライン２４の両極と２次側回路グランド２６との間に接続されたコンデンサーなどの二つのインピーダンス素子である。
【００３３】
そして、上記２次側電源回路２５は、電流検知素子３６および電流検知素子３６の出力側に直列に接続される積分回路３７および積分回路３７の出力側に直列に接続される弁別回路３８より構成される接地電流検知回路部３５と、この接地電流検知回路部３５の出力側である弁別回路３８に接続された制御回路部３９、およびこの制御回路部３９の出力側に接続された表示部４０に電力を供給するように接続されている。
【００３４】
さらに、３３は上記接地電流検知回路部３５の電流検知素子３６の入力側に直列に接続されたローパスフィルター、３４は同じく電流検知素子３６の入力側に並列に接続されたダイオードなどの定電圧性素子、３２はローパスフィルター３３の入力側に直列に接続された１ＭΩ程度の高抵抗であり、２８は上記高抵抗３２の入力側に電気的に接続された、人が手指で接触して信号を入力するための操作部である。
【００３５】
そして、この操作部２８は、図２、図３に示すようにポリカーボネートなどからなる透明なベース部材２９、ベース部材２９上面の所定箇所に設けられた酸化インジウム・スズ（以下ＩＴＯという）の透明導電膜からなる単数または複数個の面状電極部３０、一端が面状電極部３０に接続されてベース部材２９上面に設けられたＩＴＯからなる透明な細線状の引回し配線部３１からなり、この引回し配線部３１の他端が上記高抵抗３２の入力側にコネクタなどの接続手段４２を介して接続されている。
【００３６】
次に、このように構成された入力装置の各部の動作について説明する。
まず、ある程度の接地抵抗を有して接地された人が手指４１で面状電極部３０に触れると、商用電源ライン２１の供給する電力を基に、大地アース２２、人体の手指４１、面状電極部３０、引回し配線部３１、高抵抗３２、ローパスフィルター３３、電流検知素子３６、２次側回路グランド２６、インピーダンス素子２７、１次側ライン２４を通って商用電源ライン２１に戻る経路、または全く逆の経路で接地電流が流れる。
【００３７】
そして、電流検知素子３６は、この接地電流の有無または大きさを検知し、積分回路３７が、電流検知素子３６の出力を積分して、接地電流が交流であることから生じる間欠性を補完して接地電流の大小に応じたレベルの信号を出力し、弁別回路３８が、積分回路３７からの信号レベルを所定のしきい値で弁別して、信号レベルがしきい値以上の場合に接地電流が流れることすなわち人体の手指４１が面状電極部３０に触れていることを示す定性的信号「１」を制御回路部３９へ出力するものである。
【００３８】
また、これとは逆に人体の手指４１が面状電極部３０から離れると、接地電流の経路が絶たれて接地電流が流れなくなるので、電流検知素子３６は接地電流を検知せず、弁別回路３８が、積分回路３７からの信号レベルが所定のしきい値以下であることを弁別し、接地電流が流れていないことすなわち人体の手指４１が面状電極部３０に触れていないことを示す定性的信号「０」を制御回路部３９へ出力する。
【００３９】
そして、制御回路部３９は、弁別回路３８から入力される定性的信号「１」または「０」に応じて表示部４０の表示内容を制御したり、電子機器の動作を制御する制御信号を出力するものである。
【００４０】
この際に、接地電流検知回路部３５の弁別回路３８は、面状電極部３０に触れたか否かの二値信号を出力して、制御回路部３９のマイクロコンピューター等のディジタル回路の入力に直接接続できると共に、二値信号の特質として接地電流検知回路部３５と制御回路部３９との間を結ぶ配線上で誘起するノイズに対してもノイズマージンを設けることができるものであり、また積分回路３７と弁別回路３８をリトリガブルマルチバイブレータに置き換えても同様の効果を得ることができるものである。
【００４１】
そして、高抵抗３２は、人体の手指４１に感電を感じさせないように接地電流の大きさを制限し、ローパスフィルター３３は、引回し配線部３１等に誘起されるラジオ放送等の高周波成分などの電気ノイズを減衰して、電気ノイズによって接地電流検知回路部３５が誤動作することを抑え、定電圧素子３４は、電流検知素子３６にとって必要以上に高い電圧または低い電圧をクランプして電流検知素子３６の破壊等の劣化を保護するものである。
【００４２】
本実施の形態によれば、入力装置の操作部２８を透明な部材で形成し、その操作部２８の背面に表示部４０を配置することにより、操作と表示の対応が理解し易く、容易に入力操作ができる入力装置を提供できると共に、操作部２８を構成するのに必要な面状電極部３０をベース部材２９の片面のみに形成できるため、安価に製作でき、複数の面状電極部３０を近接して設ける場合でも相互間の影響がなく、ベース部材２９上に複数の面状電極部３０を自由な形状および配置で設けた入力装置を得ることができるものである。
【００４３】
なお、本実施の形態では操作部２８を、ベース部材２９の上面に面状電極部３０および引回し配線部３１を有する構成としたが、図４の操作部５１の断面図に示すように、ベース部材５２上面の面状電極部５３および引回し配線部５４を覆うように二酸化珪素（以下ＳｉＯ2という）からなる第一絶縁層５５を設けることにより、面状電極部５３および引回し配線部５４を金属体などとの接触から保護できて、組立て作業などの操作部２８の取扱い時および使用中における操作部５１表面の耐擦傷性に優れるという効果を奏するものである。
【００４４】
また、図５の操作部５６の断面図に示すように、ベース部材５７の上面にＳｉＯ2からなる第二絶縁層５８を配置し、この第二絶縁層５８の上面に面状電極部５９、引回し配線部６０を形成することにより、ベース部材５７と第二絶縁層５８の間および第二絶縁層５８と面状電極部５９、引回し配線部６０との間の密着性を向上させることができ、さらに優れた耐久性を得ることができるという効果を奏するものである。
【００４５】
さらに、図６の操作部６１の断面図に示すように、面状電極部６３、引回し配線部６４と対向するベース部材６５にＳｉＯ2からなる第三絶縁層６２を設けることにより、組立て作業などの取扱い時のベース部材６５の裏面の耐擦傷性を向上させるという効果を奏するものである。
【００４６】
そして、これらの第一〜第三絶縁層５５，５８，６２は一つのみでなく、二つ以上を組み合わせて設けても良い。
【００４７】
さらに、ベース部材５２，５７，６５としてはポリカーボネートの他、アクリル樹脂、メタクリル樹脂、ポリオレフィン樹脂、ポリスチレン樹脂、ポリエチレンテレフタレート、ポリエーテルサルフォン等の高分子シート、高分子フィルムや高分子成形物、あるいはガラス板、ガラス成形物やアルミナ等のセラミック板等を用いることができ、面状電極部５３，５９，６３や引回し配線部５４，６０，６４にはＩＴＯの他、酸化スズ（ＳｎＯ2）、酸化亜鉛（ＺｎＯ）、金（Ａｕ）薄膜や銀（Ａｇ）薄膜等の透明導電膜、樹脂バインダー等に銀粉や銅粉を分散させた導電ペースト硬化膜等を用いることができるものであり、第一〜第三絶縁層５５，５８，６２にはＳｉＯ2の他、酸化チタン（ＴｉＯ2）、窒化ケイ素（ＳｉＮ）等の無機物や、アクリル系、エポキシ系、メラミン系、ポリエステル系、ウレタン系等の高分子化合物およびこれらの混合物を用いることができ、その厚さは、０．０５〜１０００μｍの間で設定することにより、入力感度を減じることなく、ベース部材５２，５７，６５上の面状電極部５３，５９，６３の耐擦傷性向上が可能となり、また、第一、第三絶縁層５５，６２はポリエチレンテレフタレート、ポリエチレン等の高分子フィルム等を貼り付けても良い。
【００４８】
また、透明なベース部材５２，５７，６５上に面状電極部５３，５９，６３、引回し配線部５４，６０，６４をＩＴＯ、酸化スズ等の透明導電膜により１５０Å以下の厚さに形成することにより、面状電極部５３，５９，６３、引回し配線部５４，６０，６４とそれらが形成されていない部分との目視による差異がほとんど目立たず、第一、第三絶縁層５５，６２に厚さ０．１±０．０５μｍ、屈折率１．４のＳｉＯ2を用い、ベース部材５２，５７，６５に厚さ２ｍｍ、屈折率１．６のポリカーボネートを用いたところ、光干渉効果により表面、裏面の光反射率を第一、第三絶縁層５５，６２を設けない場合と比較してそれぞれ４％から１．５％に低減させることができ、光透過率を８８％から９３％に向上させることができ、外光反射を抑えて、光透過率が高く、視認性の良い操作部を備えた入力装置を製作できるものとなった。
【００４９】
なお、第一絶縁層、第三絶縁層５５，６２のいずれか一方あるいは第二絶縁層５８に厚さ０．１±０．０５μｍの屈折率１．５未満の材料を用いても同様の効果を得ることができる。
【００５０】
そして、屈折率１．５未満の透明な絶縁膜材料としてＳｉＯ2の他、ＭｇＦ2、フッ素樹脂等のものを第一〜第三絶縁層５５，５８，６２に用いることができ、屈折率１．５以上のベース部材５２，５７，６５としては、ポリカーボネートの他、アクリル樹脂、メタクリル樹脂、ソーダライムガラス等の材料を用いても良い。
【００５１】
（実施の形態２）
図７は本発明の実施の形態２による入力装置における操作部の斜視図、図８は図７のＷ−Ｗ線における断面図であり、同図において、７０はベース部材、７１は複数の面状電極部、７２は一端がそれぞれの面状電極部７１に接続された複数の細線状の引回し配線部であり、第１の実施の形態による入力装置の操作部に対して、複数の引回し配線部７２のそれぞれと微小な絶縁間隙７４を設けて両側に誤動作防止用配線部７３が追加されている。
【００５２】
そして、この誤動作防止用配線部７３は面状電極部７１および引回し配線部７２と同様の材料で形成され、引回し配線部７２と同様にコネクタ（図示せず）などの手段を用いて接地電流検知回路部（図示せず）の引回し配線部７２の接続される部分とは別の部分に接続されるものである。
【００５３】
このように構成された操作部７５を備えた入力装置においてその動作は、人が手指で所望の面状電極部７１に触れた時には実施の形態１の場合と同様に動作するものであるが、不本意に引回し配線部７２に触れた時には、微小な絶縁間隙７４で配置してある誤動作防止用配線部７３にも触れることになり、引回し配線部７２、誤動作防止用配線部７３のそれぞれを介した２系統の接地電流が接地電流検知回路部に入力される。
【００５４】
この時、接地電流検知回路部あるいは制御回路部（図示せず）を、引回し配線部７２、誤動作防止用配線部７３のそれぞれを介した２系統の接地電流あるいは誤動作防止用配線部７３のみを介した接地電流を検知して、面状電極部７１に触れた時の接地電流と識別するように設定しておくことにより、不本意に引回し配線部７２に触れた時の誤入力を防止することができるものである。
【００５５】
なお、図９は本実施の形態による他の構成の操作部の斜視図、図１０は図９のＸ−Ｘ線における断面図であり、図７で示したものに対して誤動作防止用電極部７６の形状が異なっている。
【００５６】
すなわち、誤動作防止用電極部７６はベース部材７７上において、全ての面状電極部７８および引回し配線部７９の周囲に亘って設けられた微小な絶縁間隙８０をあけてその周囲全体に配置されている。
【００５７】
このように構成された操作部８１を備えた入力装置においても、引回し配線部７９は細線状であり絶縁間隙８０は微小であるので、図７に示したものの場合と同様に、引回し配線部７９に不本意に触れても誤入力を防止することができるものであるが、誤動作防止用電極部７６が面状電極部７８および引回し配線部７９の周囲全体に設けられていることにより、外部からの電気ノイズを吸収して面状電極部７８および引回し配線部７９に誘起される電気ノイズによる誤入力も防止することができるものである。
【００５８】
また、図１１は本実施の形態による他の構成の操作部の斜視図、図１２は図１１のＹ−Ｙ線における断面図であり、図７および図９で示したものに対して誤動作防止用電極部８２の形状および配置が異なっている。
【００５９】
すなわち、ベース部材８３の上面に配置された引回し配線部８４の上面をカバーするＳｉＯ2からなる第四絶縁層８５を設け、その上面に面状電極部８６および引回し配線部８４と同様の材料で誤動作防止用電極部８２が設けられている。
【００６０】
このように構成された操作部８７を備えた入力装置においては、引回し配線部８４の上方に不本意に触れても誤動作防止用電極部８２に触れることになり、誤入力を防止することができるものであるが、複数の引回し配線部８４のそれぞれの間に絶縁間隔をあけて誤動作防止用電極を配置する必要がなく、ベース部材８３からの引回し配線部８４の取出し部分等において引回し配線部８４を狭ピッチに配置することができて、接続用のコネクタ（図示せず）などに小形のものを用いることができるものである。
【００６１】
さらに、図１３は図１１で示した構成の操作部において、ベース部材の形状が異なるものの斜視図、図１４は図１３のＺ−Ｚ線における同断面図であり、ベース部材８８はその中央部が突出するように厚くなっていて、その上面に面状電極部８９、引回し配線部９０、第一絶縁層９１、誤動作防止用電極部９２を形成して操作部９３が構成され、さらに引回し配線部９０は厚くなったベース部材８８中央部からベース部材８８端部の薄肉部まで導出されて、コネクタ（図示せず）などに接続されるようになっている。
【００６２】
このような形状のベース部材８８を用いることにより、操作部９３をデザイン的により高級感を持たせたものとすることができ、また、ベース部材を上記の形状と異なる凹凸部を有する立体形状あるいは曲面形状等にすることによっても面状電極部、引回し配線部、誤動作防止用電極部などを自由な形状で配置することができ、入力装置の操作部のデザインの自由度を増すことができるものである。
【００６３】
（実施の形態３）
図１５は本発明の実施の形態３による電子機器の斜視図であり、同図において、９５は機器本体部９６の前面に搭載された入力装置の操作部で、その操作部９５の全面に複数の面状電極部９７が配設されており、操作部９５全体を構成する各部材は透明な材料で形成されている。
【００６４】
そして、機器本体部９６は、複数の面状電極部９７の所望のものに手指で触れることにより、電源のＯＮ／ＯＦＦ、音量のアップダウン、ソースの選択、選択されたソースのプレイ／ストップ、文字の入力操作などの機能を動作させるように設定されており、それぞれの面状電極部９７の内側には各機能に対応した表示が施されるように構成されている。
【００６５】
本実施の形態によれば、面状電極部９７の内側の表示にしたがって手指で軽く触れるだけで機器本体部９６の制御ができると共に、高級感の高い入力装置を備えた電子機器を提供することができるものである。
【００６６】
【発明の効果】
以上のように本発明によれば、複数の面状電極部を近接して設けても相互間の影響がなく、ベース部材上に複数の面状電極部を自由な形状および配置で設けた入力装置を得ることができると共に、面状電極部をベース部材の片面のみに形成できるので安価に製作でき、しかも操作部を透明な部材で形成して背面に表示部を配置することにより、操作と表示の対応が理解し易くて容易に入力操作ができ、手指で軽く触れるだけで電子機器の制御ができる高級感の高い入力装置およびこれを用いた電子機器を提供することができるという有利な効果が得られるものである。
【図面の簡単な説明】
【図１】本発明の実施の形態１による入力装置の構成図
【図２】同要部である操作部の斜視図
【図３】図２のＶ−Ｖ線における断面図
【図４】同他の構成の操作部の断面図
【図５】同他の構成の操作部の断面図
【図６】同他の構成の操作部の断面図
【図７】本発明の実施の形態２による入力装置の要部である操作部の斜視図
【図８】図７のＷ−Ｗ線における断面図
【図９】同他の構成の操作部の斜視図
【図１０】図９のＸ−Ｘ線における断面図
【図１１】同他の構成の操作部の斜視図
【図１２】図１１のＹ−Ｙ線における断面図
【図１３】同別の構成の操作部の斜視図
【図１４】図１３のＺ−Ｚ線における断面図
【図１５】本発明の実施の形態３による電子機器の斜視図
【図１６】従来の静電容量式タッチスイッチの構成図
【図１７】同回路概念図
【符号の説明】
２１  商用電源ライン
２２  大地アース
２３  電源トランス
２４  １次側ライン
２５  ２次側電源回路
２６  ２次側回路グランド
２７  インピーダンス素子
２８，５１，５６，６１，７５，８１，８７，９３，９５  操作部
２９，５２，５７，６５，７０，７７，８３，８８  ベース部材
３０，５３，５９，６３，７１，７８，８６，８９，９７  面状電極部
３１，５４，６０，６４，７２，７９，８４，９０  引回し配線部
３２  高抵抗
３３  ローパスフィルター
３４  定電圧性素子
３５  接地電流検知回路部
３６  電流検知素子
３７  積分回路
３８  弁別回路
３９  制御回路部
４０  表示部
４１  手指
５５  第一絶縁層
５８  第二絶縁層
６２  第三絶縁層
７３  誤動作防止用配線部
７４，８０  絶縁間隙
７６，８２，９２  誤動作防止用電極部
８５  第四絶縁層
９１  第一絶縁層
９６  機器本体部
【図１】
0003651288.tif 000002
【図２】
0003651288.tif 000003
【図３】
0003651288.tif 000004
【図４】
0003651288.tif 000005
【図５】
0003651288.tif 000006
【図６】
0003651288.tif 000007
【図７】
0003651288.tif 000008
【図８】
0003651288.tif 000009
【図９】
0003651288.tif 000010
【図１０】
0003651288.tif 000011
【図１１】
0003651288.tif 000012
【図１２】
0003651288.tif 000013
【図１３】
0003651288.tif 000014
【図１４】
0003651288.tif 000015
【図１５】
0003651288.tif 000016
【図１６】
0003651288.tif 000017
【図１７】
0003651288.tif 000018